(57)【要約】【課題】ユーザーの意図しない出力装置の出力の切り換わりを防ぐことが可能な、複数の駆動装置が一体化された複合記録再生装置を提供する。【解決手段】システムコントローラ５は、ＶＣＲ３の再生動作中及び／又は記録動作中に、ＤＶＤ−Ｖｉｄｅｏ規格に基づいて作成されたＤＶＤがＤＶＤプレーヤー２に挿入されると、ローディングが終わり、ＦＰ＿ＰＧＣを探索した後、出力選択部４にＤＶＤプレーヤー２を選択させず、ＤＶＤプレーヤー２の再生動作を停止させる。また、電源が入力されておらず、ＤＶＤ−Ｖｉｄｅｏ規格に基づいて作成されたＤＶＤがＤＶＤプレーヤー２に挿入されており、出力選択部４がＶＣＲ３を選択している状態で、電源が入力されると、ローディングが終わり、ＦＰ＿ＰＧＣを探索した後、出力選択部４にＤＶＤプレーヤー２を選択させず、ＤＶＤプレーヤー２の再生動作を停止させる。【選択図】図１
2007134024.tif 000002
【特許請求の範囲】
【請求項１】
ＤＶＤレコーダーとビデオカセットレコーダーの２種類の駆動装置を有し、
前記ＤＶＤレコーダーと前記ビデオカセットレコーダーのいずれか１つを選択して、その出力信号を出力装置に出力する出力選択部を有し、
前記ＤＶＤレコーダーと、前記ビデオカセットレコーダーと、前記出力選択部の動作を制御するシステムコントローラを有する複合記録再生装置において、
前記システムコントローラは、前記ビデオカセットレコーダーの再生動作中及び／又は記録動作中に、ファーストプレイプログラムチェーンを有する、ＤＶＤ−Ｖｉｄｅｏ規格に基づいて作成されたＤＶＤが前記ＤＶＤレコーダーに挿入されたとき、前記出力選択部に前記ＤＶＤレコーダーを選択させず、前記ＤＶＤレコーダーの再生動作を停止させ、
ファーストプレイプログラムチェーンを有する、ＤＶＤ−Ｖｉｄｅｏ規格に基づいて作成されたＤＶＤが前記ＤＶＤレコーダーに挿入されており、前記出力選択部が前記ビデオカセットレコーダーを選択している状態で、電源が入力されたとき、前記出力選択部に前記ＤＶＤレコーダーを選択させず、前記ＤＶＤレコーダーの再生動作を停止させることを特徴とする複合記録再生装置。
【請求項２】
対応する記録媒体に対する記録再生を行う複数の駆動装置を有し、
前記複数の駆動装置のいずれか１つを選択して、その出力信号を出力装置に出力する出力選択部を有し、
前記複数の駆動装置と前記出力選択部の動作を制御するシステムコントローラを有する複合記録再生装置において、
前記システムコントローラは、第１の駆動装置以外の駆動装置の再生及び／又は記録動作中に、挿入されると自動的に再生が行われる記録媒体が前記第１の駆動装置に挿入されたとき、前記出力選択部に前記第１の駆動装置を選択させず、前記第１の駆動装置の再生動作を停止させることを特徴とする複合記録再生装置。
【請求項３】
対応する記録媒体に対する記録再生を行う複数の駆動装置を有し、
前記複数の駆動装置のいずれか１つを選択して、その出力信号を出力装置に出力する出力選択部を有し、
前記複数の駆動装置と前記出力選択部の動作を制御するシステムコントローラを有する複合記録再生装置において、
前記システムコントローラは、挿入された状態で電源が入力されると自動的に再生が行われる記録媒体が第１の駆動装置に挿入されており、前記出力選択部が前記第１の駆動装置以外の駆動装置を選択している状態で、電源が入力されたとき、前記出力選択部に前記第１の駆動装置を選択させず、前記第１の駆動装置の再生動作を停止させることを特徴とする複合記録再生装置。
【請求項４】
前記システムコントローラは、挿入された状態で電源が入力されると自動的に再生が行われる記録媒体が第１の駆動装置に挿入されており、前記出力選択部が前記第１の駆動装置以外の駆動装置を選択している状態で、電源が入力されたとき、前記出力選択部に前記第１の駆動装置を選択させず、前記第１の駆動装置の再生動作を停止させることを特徴とする請求項２に記載の複合記録再生装置。
【発明の詳細な説明】
【技術分野】
【０００１】
本発明は、ＤＶＤ（ディジタル・バーサタイル・ディスク）レコーダー及びＶＣＲ（ビデオ・カセット・レコーダー）などの、複数の駆動装置が一体化された複合記録再生装置に関する。
【背景技術】
【０００２】
近年、対応する記録媒体の記録再生を行う複数の駆動装置を備えた複合記録再生装置が注目を集めている。代表的な複合記録再生装置としては、ＤＶＤレコーダー及びＶＣＲが１つの筐体に収納され、ＤＶＤレコーダーに挿入されたＤＶＤの記録情報をＶＣＲに挿入されたビデオテープに記録できるなどの便利な機能を有する複合記録再生装置が挙げられる。
【０００３】
ＤＶＤプレーヤーあるいはＤＶＤレコーダー及びＶＣＲの複合記録再生装置に関する発明としては、特許文献１、特許文献２に記載のものが知られている。
【０００４】
特許文献１に記載のものは、ＤＶＤレコーダー及びＶＣＲの複合記録再生装置において、複数のＤＶＤにコンテンツを分けて記録する際の、複合記録再生装置の記録動作の制御方法に関するものである。
【０００５】
特許文献１に記載の発明によると、ＤＶＤレコーダー及びＶＣＲの複合記録再生装置において、複数のＤＶＤに、コンテンツが途切れることなく、かつダブった記録がないようにリアルタイムで記録することが簡単・確実にできる。
【０００６】
また、特許文献２に記載のものは、ＤＶＤプレーヤーなどのディスク駆動装置及びＶＣＲの複合記録再生装置において、電源入力直後にＶＣＲの予約録画が開始される場合の、ＤＶＤプレーヤーなどのディスク駆動装置のモーターの起動による振動に対処するための制御方法に関するものである。
【０００７】
特許文献２に記載の発明によると、ＤＶＤプレーヤーなどのディスク駆動装置及びＶＣＲの複合記録再生装置において、電源入力直後にＶＣＲの予約録画が開始される場合に、ＤＶＤプレーヤーなどのディスク駆動装置のモーターの起動による振動が起こるある一定期間、ＶＣＲの予約録画の開始を遅らせたり、モーターの安定回転までの時間を調節するので、記録トラックのリニアリティーの乱れた信号がテープに記録されることを未然に防止したり、軽減したりすることができる。
【特許文献１】特開２００４−１９９７５８号公報
【特許文献２】特開２００３−９１９０２号公報
【発明の開示】
【発明が解決しようとする課題】
【０００８】
しかしながら、従来の、ＤＶＤレコーダー及びＶＣＲの複合記録再生装置などの、複数の駆動装置が一体化された複合記録再生装置においては、第１の駆動装置以外の駆動装置の再生動作中及び記録動作中に、挿入されると自動的に再生が行われる記録媒体が第１の駆動装置に挿入されると、第１の駆動装置に挿入された記録媒体が再生され、出力選択部が第１の駆動装置を選択し、その出力信号が出力装置に出力されてしまうという問題点がある。
【０００９】
また、従来の、ＤＶＤレコーダー及びＶＣＲの複合記録再生装置などの、複数の駆動装置が一体化された複合記録再生装置においては、挿入された状態で電源が入力されると自動的に再生が行われる記録媒体が第１の駆動装置に挿入されており、出力選択部が第１の駆動装置以外の駆動装置を選択している状態で、電源が入力されたとき、第１の駆動装置に挿入された記録媒体が再生され、出力選択部が第１の駆動装置を選択し、その出力信号が出力装置に出力されてしまうという問題点がある。
【００１０】
以上の問題点を鑑み、本発明は、ユーザーの意図しない出力装置の出力の切り換わりを防ぐことが可能な、ＤＶＤレコーダー及びＶＣＲの複合記録再生装置などの、複数の駆動装置が一体化された複合記録再生装置を提供することを目的とする。
【課題を解決するための手段】
【００１１】
本発明においては、複合記録再生装置は、ＤＶＤレコーダーとビデオカセットレコーダーの２種類の駆動装置を有し、前記ＤＶＤレコーダーと前記ビデオカセットレコーダーのいずれか１つを選択して、その出力信号を出力装置に出力する出力選択部を有し、前記ＤＶＤレコーダーと、前記ビデオカセットレコーダーと、前記出力選択部の動作を制御するシステムコントローラを有する複合記録再生装置において、前記システムコントローラは、前記ビデオカセットレコーダーの再生動作中及び／又は記録動作中に、ファーストプレイプログラムチェーンを有する、ＤＶＤ−Ｖｉｄｅｏ規格に基づいて作成されたＤＶＤが前記ＤＶＤレコーダーに挿入されたとき、前記出力選択部に前記ＤＶＤレコーダーを選択させず、前記ＤＶＤレコーダーの再生動作を停止させ、ファーストプレイプログラムチェーンを有する、ＤＶＤ−Ｖｉｄｅｏ規格に基づいて作成されたＤＶＤが前記ＤＶＤレコーダーに挿入されており、前記出力選択部が前記ビデオカセットレコーダーを選択している状態で、電源が入力されたとき、前記出力選択部に前記ＤＶＤレコーダーを選択させず、前記ＤＶＤレコーダーの再生動作を停止させることを特徴とする。
【００１２】
これによると、ＤＶＤレコーダー及びＶＣＲの複合記録再生装置における、ユーザーの意図しない出力装置の出力の切り換わりを防ぐことができる。
【００１３】
本発明においては、複合記録再生装置は、対応する記録媒体に対する記録再生を行う複数の駆動装置を有し、前記複数の駆動装置のいずれか１つを選択して、その出力信号を出力装置に出力する出力選択部を有し、前記複数の駆動装置と前記出力選択部の動作を制御するシステムコントローラを有する複合記録再生装置において、前記システムコントローラは、第１の駆動装置以外の駆動装置の再生及び／又は記録動作中に、挿入されると自動的に再生が行われる記録媒体が前記第１の駆動装置に挿入されたとき、前記出力選択部に前記第１の駆動装置を選択させず、前記第１の駆動装置の再生動作を停止させることを特徴とする。
【００１４】
これによると、例えば、第１の駆動装置以外の駆動装置による、視聴を望む情報の再生中及び／又は視聴しながら第１の駆動装置以外の駆動装置を用いて記録媒体に記録することを望む情報の記録中に、その記録又は再生が終了した後に再生したい、挿入されると自動的に再生が行われる記録媒体を第１の駆動装置に挿入したときに、出力装置に第１の駆動装置からの出力信号が出力されてしまうことを防ぐことができる。よって、ユーザーの意図しない出力装置の出力の切り換わりを防ぐことができる。
【００１５】
本発明においては、複合記録再生装置は、対応する記録媒体に対する記録再生を行う複数の駆動装置を有し、前記複数の駆動装置のいずれか１つを選択して、その出力信号を出力装置に出力する出力選択部を有し、前記複数の駆動装置と前記出力選択部の動作を制御するシステムコントローラを有する複合記録再生装置において、前記システムコントローラは、挿入された状態で電源が入力されると自動的に再生が行われる記録媒体が第１の駆動装置に挿入されており、前記出力選択部が前記第１の駆動装置以外の駆動装置を選択している状態で、電源が入力されたとき、前記出力選択部に前記第１の駆動装置を選択させず、前記第１の駆動装置の再生動作を停止させることを特徴とする。
【００１６】
これによると、例えば、第１の駆動装置以外の駆動装置を用いて、終了直後に電源が切れるタイマー記録を行った後に、その記録情報を再生しようとして電源を入力するとき、挿入された状態で電源が入力されると自動的に再生が行われる記録媒体が第１の駆動装置に挿入されている状態においても、出力装置に、第１の駆動装置からの出力信号が出力されてしまうことを防ぐことができる。よって、ユーザーの意図しない出力装置の出力の切り換わりを防ぐことができる。なお、このような機能を持つシステムコントローラに、第１の駆動装置以外の駆動装置の再生及び／又は記録動作中に、挿入されると自動的に再生が行われる記録媒体が第１の駆動装置に挿入されたとき、出力選択部に第１の駆動装置を選択させず、第１の駆動装置の再生動作を停止させる機能も併せ持たせてもよい。
【発明の効果】
【００１７】
本発明によると、ユーザーの意図しない出力装置の出力の切り換わりを防ぐことが可能な、ＤＶＤレコーダー及びＶＣＲの複合記録再生装置などの、複数の駆動装置が一体化された複合記録再生装置が提供される。
【発明を実施するための最良の形態】
【００１８】
本発明の実施形態について、図面を用いて説明すれば以下の通りである。
【００１９】
図１は、本発明の実施形態に係る複合記録再生装置１の主要構成を示すブロック図である。複合記録再生装置１は、ＤＶＤの再生を行うＤＶＤプレーヤー２（駆動装置、第１の駆動装置）と、ビデオテープに対する記録再生を行うＶＣＲ３（駆動装置、第１の駆動装置以外の駆動装置）とを備え、ＤＶＤプレーヤー２とＶＣＲ３とは、出力選択部４に接続されている。ＤＶＤプレーヤー２と、ＶＣＲ３と、出力選択部４とはシステムコントローラ５に接続されている。また、出力選択部４には、テレビジョン装置６（出力装置）が接続されている。
【００２０】
上記構成により、ＤＶＤプレーヤー２は、ＤＶＤの再生時、ＤＶＤからディジタル記録データを読み出して所定の信号処理を施すことにより、出力信号を取得して出力選択部４に出力する。一方、ＶＣＲ３は、ビデオテープの再生時、ビデオテープからビデオ記録信号を読み出して所定の信号処理を施すことにより、出力信号を取得して出力選択部４に出力する。また、放送情報などの記録時においては、放送信号などの信号に所定の信号処理を施し、得られた記録信号をビデオテープへ記録しつつ、得られた出力信号を出力選択部４に出力する。
【００２１】
そして、出力選択部４は、ＤＶＤプレーヤー２又はＶＣＲ３のいずれか１つを選択し、その出力信号をテレビジョン装置６に出力する。
【００２２】
また、システムコントローラ５は、ＤＶＤプレーヤー２と、ＶＣＲ３と、出力選択部４とに接続されており、これらに対して制御指示信号を出力することで、各種動作を実行させている。すなわち、システムコントローラ５は、ＤＶＤプレーヤー２には、ＤＶＤの再生を実行させ、ＶＣＲ３には、ビデオテープに対する記録及び再生を実行させ、出力選択部４には、ＤＶＤプレーヤー２又はＶＣＲ３のいずれか１つの選択を実行させている。
【００２３】
次に、本発明の実施形態に係るＤＶＤプレーヤー２について、詳細を説明する。図２は、本発明の実施形態に係るＤＶＤプレーヤー２の主要構成を示すブロック図である。ＤＶＤプレーヤー２は、光ピックアップ２１と、サーボ信号処理部２２と、ＲＦアンプ２３と、信号処理部２４と、デコーダ２５とを備えている。
【００２４】
そして、ＤＶＤ７の再生時においては、光ピックアップ２１がＤＶＤ７に記録されたディジタル情報を読み取り、サーボ信号処理部２２がフォーカスサーボ、トラッキングサーボなどの各種制御信号を送出し、光ピックアップ２１を所定位置に駆動させる。
【００２５】
ＲＦアンプ２３は、光ピックアップ２１からの読み取り信号を増幅して所定の制御信号を生成し、信号処理部２４は、増幅された信号の中から記録されているディジタルデータを復元してディジタル記録データに変換して出力する。デコーダ２５は、信号処理部２４から出力されたディジタル記録データに所定の信号処理を施して出力信号とする。そして、デコーダ２５からの出力信号が、出力選択部４に出力される。
【００２６】
次に、本発明の実施形態に係るＶＣＲ３について、詳細を説明する。図３は、本発明の実施形態に係るＶＣＲ３の主要構成を示すブロック図である。ＶＣＲ３は、チューナー３１と、ビデオＩＣ３２と、ビデオ記録再生機構３３とを備えている。
【００２７】
そして、ビデオテープ８に放送情報を記録するときには、チューナー３１が放送信号を受信して対応する中間周波信号を出力し、ビデオＩＣ３２は、この出力された中間周波信号に所定の信号処理を施して、得られた記録信号をビデオ記録再生機構３３に、得られた出力信号を出力選択部４に出力する。これによって、放送情報を、ビデオ記録再生機構３３においてビデオテープ８へ記録しつつ、出力選択部４を介してテレビジョン装置６に出力することが可能となる。
【００２８】
また、ビデオテープ８の記録情報を再生するときには、ビデオ記録再生機構３３が読み取ったビデオ記録信号を、ビデオＩＣ３２に出力し、ビデオＩＣ３２がビデオ記録信号に所定の信号処理を施して、得られた出力信号を出力選択部４に出力する。
【００２９】
ところで、複合記録再生装置１のＤＶＤプレーヤー２に、ＤＶＤ−Ｖｉｄｅｏ規格に基づいて作成されたＤＶＤ７が挿入された場合、ＤＶＤプレーヤー２は、ローディング終了後、挿入されたＤＶＤ７のＦＰ＿ＰＧＣ（ファースト・プレイ・プログラム・チェーン）と呼ばれるＰＧＣを探索し、ＦＰ＿ＰＧＣが発見された場合に再生を開始する。
【００３０】
したがって、ＶＣＲ３の再生動作中及び記録動作中であっても、ＤＶＤ−Ｖｉｄｅｏ規格に基づくＤＶＤ７がＤＶＤプレーヤー２に挿入されると、ＤＶＤプレーヤー２は、ローディング終了後、挿入されたＤＶＤ７のＦＰ＿ＰＧＣを探索し、ＦＰ＿ＰＧＣが発見された場合に再生を開始する。
【００３１】
しかしながら、ＶＣＲ３の再生動作中においては、視聴者が視聴を望む情報はＶＣＲ３によって再生されているビデオテープ８の情報である場合が多く、また、ＶＣＲ３の記録動作中においては、視聴者が視聴を望む情報はＶＣＲ３によって記録が行われている、放送情報などである場合が多い。
【００３２】
よって、本発明の実施形態に係るシステムコントローラ５は、図４のフローチャートに示す制御を行う。すなわち、ＤＶＤ−Ｖｉｄｅｏ規格に基づいて作成されたＤＶＤ７がＤＶＤプレーヤー２に挿入されると（Ｓ1）、ローディングを行わせ（Ｓ2）、ＦＰ＿ＰＧＣを探索させ（Ｓ3）、ＦＰ＿ＰＧＣが発見されなかった場合には、規格に基づき動作しないままにする（Ｓ4）。一方、ＦＰ＿ＰＧＣが発見された場合は、ＶＣＲ３が再生動作中又は記録動作中であるかを検出する（Ｓ5）。そして、ＶＣＲ３が再生動作中又は記録動作中である場合は出力選択部４にＤＶＤプレーヤー２を選択させず、ＤＶＤプレーヤー２の再生動作を停止させ（Ｓ6）、ＶＣＲ３が再生動作中でも記録動作中でもない場合は出力選択部４にＤＶＤプレーヤー２を選択させ、ＤＶＤプレーヤー２に再生動作を続行させる（Ｓ7）。
【００３３】
このような制御を行うシステムコントローラ５を備えることで、例えば、ＶＣＲ３による視聴を望む情報の再生中及び視聴しながらＶＣＲ３を用いてビデオテープに記録することを望む情報の記録中に、その記録又は再生が終了した後に再生したい、ＦＰ＿ＰＧＣを有する、ＤＶＤ−Ｖｉｄｅｏ規格に基づいて作成されたＤＶＤをＤＶＤプレーヤー２に挿入したときに、テレビジョン装置６の出力が、ＤＶＤプレーヤー２の出力信号になってしまうことを防ぐことができる。つまり、ユーザーの意図しない出力装置の出力の切り換わりを防ぐことができる。
【００３４】
また、電源が入力されておらず、ＤＶＤ−Ｖｉｄｅｏ規格に基づいて作成されたＤＶＤ７がＤＶＤプレーヤー２に挿入されており、出力選択部４がＶＣＲ３を選択している状態で、電源が入力されると、ＤＶＤプレーヤー２は、ローディング終了後、挿入されたＤＶＤのＦＰ＿ＰＧＣを探索し、ＦＰ＿ＰＧＣが発見された場合に再生を開始する。
【００３５】
しかしながら、ＶＣＲ３を用いて、終了直後に電源が切れるタイマー記録を行った場合などの、電源が切れている状態においては、その後に電源を入力するとき、その目的は、その時点で出力選択部４に選択されている駆動装置を用いることである場合が多いと思われる。
【００３６】
よって、本発明の実施形態に係るシステムコントローラ５は、図５のフローチャートに示す制御を行う。すなわち、電源が入力されておらず、ＤＶＤ−Ｖｉｄｅｏ規格に基づいて作成されたＤＶＤ７がＤＶＤプレーヤーに挿入されている状態で、電源が入力されると（Ｓ11）、ローディングを行わせ（Ｓ12）、ＦＰ＿ＰＧＣを探索させ（Ｓ13）、ＦＰ＿ＰＧＣが発見されなかった場合には、規格に基づき動作しないままにする（Ｓ14）。一方、ＦＰ＿ＰＧＣが発見された場合は、その時点において、出力選択部４に選択されている駆動装置がＤＶＤプレーヤー２であるかどうかを検出する（Ｓ15）。そして、出力選択部４に選択されている駆動装置がＤＶＤプレーヤー２である場合はＤＶＤプレーヤー２に再生動作を続行させ（Ｓ16）、そうでない場合は出力選択部４にＤＶＤプレーヤー２を選択させず、ＤＶＤプレーヤー２の再生動作を停止させる（Ｓ17）。
【００３７】
このような制御を行うシステムコントローラ５を備えることで、例えば、ＶＣＲ３を用いて、終了直後に電源が切れるタイマー記録を行った後に、その記録情報を再生しようとして、複合記録再生装置１の電源を入力したときに、ＤＶＤプレーヤー２に、ＦＰ＿ＰＧＣを有する、ＤＶＤ−Ｖｉｄｅｏ規格に基づいて作成されたＤＶＤが挿入されている場合においても、テレビジョン装置６の出力がＤＶＤプレーヤー２の出力信号になってしまうことを防ぐことができる。つまり、ユーザーの意図しない出力装置の出力の切り換わりを防ぐことができる。
【００３８】
なお、本発明は上記の実施の形態に限定されず、本発明の趣旨を逸脱しない範囲で、種々の変更が可能である。例えば、ＤＶＤプレーヤー２はＤＶＤレコーダーであっても構わない。また、複合記録再生装置１を構成する駆動装置は、ＤＶＤプレーヤーとＶＣＲでなくともよく、ＤＶＤレコーダーとＨＤＤ（ハード・ディスク・ドライブ）の組み合わせなども考えられる。また、複合記録再生装置１を構成する駆動装置は、２種類でなくともよく、例えば、ＤＶＤレコーダーと、ＨＤＤと、ＶＣＲの３種類の駆動装置が組み合わせられた複合記録再生装置であってもよい。
【産業上の利用可能性】
【００３９】
本発明は、複数の駆動装置が一体化された複合記録再生装置として有効である。
【図面の簡単な説明】
【００４０】
【図１】本発明の実施形態に係る複合記録再生装置の主要構成を示すブロック図である。
【図２】本発明の実施形態に係るＤＶＤプレーヤーの主要構成を示すブロック図である。
【図３】本発明の実施形態に係るＶＣＲの主要構成を示すブロック図である。
【図４】本発明の実施形態に係るシステムコントローラの制御手順を示すフローチャートである。
【図５】本発明の実施形態に係るシステムコントローラの制御手順を示すフローチャートである。
【符号の説明】
【００４１】
１    複合記録再生装置
２    ＤＶＤプレーヤー（第１の駆動装置）
３    ＶＣＲ（第１の駆動装置以外の駆動装置）
４    出力選択部
５    システムコントローラ
６    テレビジョン装置（出力装置）
７    ＤＶＤ
【図１】
2007134024.tif 000003
【図２】
2007134024.tif 000004
【図３】
2007134024.tif 000005
【図４】
2007134024.tif 000006
【図５】
2007134024.tif 000007